【事件の表示】
　平成　６年特許願第　４６９７９号「ＴＶ放送受信装置及びＴＶ放送受信装置の番組情報呼び出し方法」拒絶査定不服審判事件〔平成　７年１０月１３日出願公開、特開平　７−２６４４９７〕について、次のとおり審決する。
【結　論】
　本件審判の請求は、成り立たない。
【理　由】
１．手続の経緯
　本願は、平成６年３月１７日の出願であって、平成１５年８月２９日付けで拒絶査定がなされ、同年１０月３日に拒絶査定に対する審判請求がなされるとともに、同年１１月４日付けで手続補正がなされたものである。
　
２．平成１５年１１月４日付けの手続補正についての補正却下の決定
[補正却下の決定の結論]
　平成１５年１１月４日付けの手続補正を却下する。
[理由]
（１）補正後の本願発明
　本件補正により、特許請求の範囲の請求項１は、
「【請求項１】
　
ＴＶ放送の番組情報
　前記操作キー群に該操作キー群の操作を記憶するフェバリットキーを備え、
　前記フェバリットキーは、前記操作キー群の操作により
前記ＴＶ放送の番組情報
と共に、
　審判請求書においては、上記補正の目的につき何ら主張がない。
　そこで検討すると、上記補正は、請求項１に記載した発明を特定するために必要な事項である「電子機器」を「ＴＶ放送受信装置」と補正するものといえるが、「ＴＶ放送受信装置」が「電子機器」の代表的なものとはいえない。また「電子機器」の技術分野と「ＴＶ放送受信装置」の技術分野では、特に関連を有しないので、「電子機器」の技術分野と「ＴＶ放送受信装置」の技術分野は、技術的に密接に関連しているとはいえない。したがって、補正前後の発明の産業上の利用分野は同一ではない。よって当該補正は限定的減縮を目的とするものに該当するとはいえない。そして「電子機器」という文言自体は明りょうであり誤記ともいえないから、当該補正は、明りょうでない記載の釈明あるいは誤記の訂正を目的としているものに該当するともいえない。よって、上記補正は、平成６年改正前特許法第１７条の２第３項の規定に違反してなされたものである。
　また仮に、上記補正が限定的減縮を目的とするものであり、「ＴＶ放送の番組情報」が「電子機器の情報」の限定的減縮を目的とするものに該当するものであり、あるいは、「番組の好みに対応する複数のアイコン」が「アイコン」の限定的減縮を目的とするものに該当するものといえたとしても、以下の理由により、補正後の前記請求項１に記載された発明（以下、「本願補正発明」という）が独立して特許を受けることができるものとはいえない。
　すなわち、本願補正発明が特許出願の際独立して特許を受けることができるものであるか（平成６年法改正前特許法第１７条の２第４項において読み替えて準用する同法第１２６条第３項の規定に適合するか）について検討すると以下のとおりである。
　
（２）刊行物
ア　原審拒絶理由で引用された、本願の出願日前である平成４年５月１日に頒布された「特開平４−１３０８８６号公報」（以下、「刊行物１」という）は、「文字放送受信機」に関するものであって、その公報には図面とともに次の事項が記載されている。
（ア）「本発明は、文字放送受信機の番組登録および登録番組のデータ読出に関する。」（２頁左上欄１行ないし２行）
（イ）「文字放送の株式情報等のように多数の頁構成で放送しているが、視聴希望の項はそのなかの特定頁に限られる。しかし、視聴希望の番組の指定簡略化のために同番組を予め登録してあっても呼び出した番組の受信記憶したデータの最新頁の表示するのみで、所望の頁の番号をあらためてキー入力し表示せしめねばならず、度重なる操作は煩わしいものであり登録番組毎の所望頁の番号を覚えておかねばならなかった。本発明は、所望番組番号の登録にあたり、該番組の特定頁の番号も登録可能とし、同登録番組の呼出指定時に登録してある頁より順に表示せしめるものである。（中略）リモコン操作器またはキー入力部よりの指定により、視聴中の番組番号および頁番号をメモリの登録領域に記憶し、同番組の呼出指定時に指定番号の指定頁の文字放送データをメモリに記憶した受信データのなかから検索し、読み出したデータを表示信号に変換して出力する。」（２頁左上欄１０行ないし右上欄１０行）
（ウ）「リモコン操作器２１のキー操作により出力した同キーに対応するリモコン信号を、リモコン信号受信部２０で受信し、増幅し、復調した信号を前記制御部１４に供給する。文字放送受信機１０に備えたキーの操作信号は、前記制御部１４が直接読み取り、前記リモコン信号受信部２０の出力した信号とともにそれぞれの処理手順により解読し、対応する各制御手順にしたがってそれぞれの制御信号を出力する。前記キー入力部１９またはリモコン操作器２１より指定した文字放送の番組番号により、前記制御部１４は同制御部内のメモリに記憶した文字放送データに含む指定の番組番号を検索する。（中略）文字放送の番組視聴中に前記キー入力部１９またはリモコン操作器２１よりの番組番号の指定により第２図の制御手順により視聴中の番組の登録をする。すなわち、表示画面のガイダンス行に「番組記憶」の表示をし、表示中の番組の番号を確認し前記制御部メモリ内の番組登録領域に同番号を記憶する。番組番号の記憶に続いて最初の登録キー入力よりの所定時間内に再度の登録キー入力があれば表示中の番組の表示中の頁番号を先に記憶した番組番号とともに記憶する。」（２頁左下欄５行ないし右下欄１９行、第２図）
（エ）「前記制御部１４の登録確認モードにおいて、前記キー入力部１９またはリモコン操作器２１のカーソルキーにより表示した番組登録の空き領域にカーソルを移動し、前記同様番組登録キーを操作して、同制御部１４を登録確認モードとする直前に表示中の番組番号、または番組番号並びに頁番号を同制御部１４内メモリの番組登録領域に記憶する。
　前記登録番組の表示画面で、前記キー入力部１９またはリモコン操作器２１により表示した番組番号の一つにカーソルを移動し、同キー入力部１９またはリモコン操作器２１の実行キー操作によりカーソル指定の番組番号の文字放送データを前記制御部１４内のメモリより検索して読み出し、表示信号に変換出力する。」（３頁左上欄６行ないし１９行）
（オ）「文字放送の番組視聴中に前記キー入力部１９またはリモコン操作器２１よりの番組登録のキー操作をし、同キーに対応する信号を入力した制御部１４で同信号を解読し、第２図のフローチャートに示す制御手順にしたがって視聴中の番組の登録をする。番組登録のキー操作を解読した前記制御部１４は表示画面の最上段に位置するガイダンス行に「番組記憶」の表示をし、表示中の番組の番号を同制御部１４内メモリの番組登録領域に記憶する。表示中の番組番号の記憶に続いて最初の番組登録キー操作後の所定時間内に再度の登録キー入力があれば表示中の頁番号も番組番号とともに記憶する。」（３頁右下欄１６行ないし４頁左上欄９行、第２図）
（カ）「前記頁登録キーの操作にともなって、番組番号の登録済みのものは頁番号の追加登録を、番組番号の未登録のものは番組番号および頁番号をともに登録せしめることもできる。また、前記キー入力部１９またはリモコン操作器２１の登録確認のキー操作で前記制御部１４の動作を登録番組の確認モードとし、出力する表示信号１７を第５図の表示例の登録番組の表示画面にして同制御部１４内メモリの番組登録領域に記憶済の番組番号を表示する。前記制御部１４の登録確認モードで、前記キー入力部１９またはリモコン操作器２１のカーソルキー操作により表示画面上のカーソルを移動し、前記同様番組登録キーを操作により同制御部１４を登録確認モードとする直前に表示中の番組番号、または番組番号並びに頁番号を同制御部１４内メモリの番組登録領域に記憶する。」（４頁左上欄１４行ないし右上欄１０行、第４図（記載中の「第５図」は誤記であり「第４図」が正しい））
（キ）「前記制御部１４の登録確認モードの表示画面で、前記キー入力部１９またはリモコン操作器２１のカーソルキーにより表示中の番組番号の一つにカーソル表示を移動し、同キー入力部１９またはリモコン操作器２１に備えた実行キーの操作によりカーソル指定番組の文字放送データを前記制御部１４内メモリに記憶した受信データより検索して読み出し、表示制御部１６で表示信号１７に変換出力する。前記実行キー操作時に、カーソル表示で指定した番組の番号が「＊」印に続く頁番号を伴うとき、同番号で指定番組の指定頁番号の文字放送データを前記制御部１４内メモリより読み出し、指定頁のデータが同メモリ内に記憶してなければ受信記憶した指定番組の最新頁のデータを読み出す。」（４頁右上欄１８行ないし左下欄１１行、第４図）
　
イ　原審拒絶査定において提示された、本願の出願日前である平成４年１２月２５日に頒布された「特開平４−３７３０１２号公報」（以下、「刊行物２」という）は、「操作手順入力・実行装置」に関するものであって、その公報には図面とともに次の事項が記載されている。
（ア）「この発明は画面入力機能を有する文字入力装置において、画面入力により一連の操作手順を自動的に実行することを可能にすることを目的とする。」（段落【０００７】）
（イ）「図２は、ＲＡＭ３に書込まれた一連の操作手順を説明するための図である。図２を参照して、一連の操作手順は、登録番号データＡ１と、一連の操作手順を表示するための表示データＡ２と、データの区切りのための区切りコードＡ３，Ａ５と、表示位置を示すための表示位置データＡ４と、一連の操作手順を実行するための実行データＡ６と、データの終了を示すための終了コードＡ７とを含み、これらのデータＡ１〜Ａ７は、前述した順番に従って配置されている。（中略）表示データＡ２は、一連の操作手順の意味を定義づけた文字に対応したデータである。この定義はユーザーによってなされる。（中略）図３は、実行データＡ６を拡大した図である。実行データＡ６には、一連の操作手順の各操作が順番に書込まれている。この操作は、キー入力に対応したキーコード、および画面入力に対応したアイコンコードを含む。（中略）またアイコンコードは、ユーザーによって予め定義されている。」（段落【００１７】ないし【００１９】、図２，３）
（ウ）「図４は、キーボード５のキー配置構成を示す図である。図４を参照して、キーボード５には、機能切換キー５ａ、テンプレートキー５ｂ、入力キー５ｃ、クリアキー５ｄ、リターンキー５ｅ、番号文字入力キー５ｆ、カーソルキー５ｇを含む。テンプレートキー５ｂは、操作手順を実行させるための画面表示（後述する図６参照）または、操作手順を登録などするための画面表示（後述する図８ないし図１４参照）を指令するためのキーである。このテンプレート５ｂは、機能選択キー５ａと共にオンされると、操作手順を登録などするため画面表示を指令する。入力キー５ｃは、あるデータの登録指令をするためのキーである。（中略）番号文字入力キーは、表示文字（表示データに対応する）、アイコンコード、キーコードなどの実行データを入力するためのものである。」（段落【００２０】ないし【００２１】、図４）
（エ）「図７は、ＲＯＭ２に格納されている登録のためのプログラムを示す図である。図７を参照して、一連の操作手順登録を説明する。（中略）ステップＳ３において、ユーザーにより図８に示される表示画面中の登録位置がタッチされたことを検出すると、ステップＳ４において未登録の登録番号を図９に示すように表示させる。未登録番号の表示も前述の図８の表示動作と同様にして行われる。ステップＳ５において、未登録番号（たとえば１８番）がタッチされると、ステップＳ６において図１０に示すようなメニュー表示を行なう。ステップＳ７において、操作手順が入力されたことを検出すると、ステップＳ８において、登録番号および操作メニュー（５文字）をＲＡＭ３に記憶させる。ステップＳ９においてユーザーにより入力キー５ｃがオンされたことを検出する。この入力キー５ｃのオン操作に応答して、ＣＰＵ１は実行データ入力を待機する。この実行データはユーザーが番号文字入力キー５ｆを操作することにより入力される。ステップＳ１１によって、ユーザーにより入力された実行データをＲＡＭ３に記憶させる。ステップＳ１２において、クリアキー５ｄがオンされたことを検出すると、ステップＳ１３において、入力された登録番号、文字表示、実行データに対応して操作手順内容が図１１に示すように表示される。」（段落【００２７】ないし【００３３】、図７ないし１１）
（オ）「以上の実施例によれば、操作者は、画面に表示されるイメージを媒介として、本装置と対話することにより、一連の操作手順を定義した文字（表示データ）、定義した文字の表示位置の変更を可能にするためのアイコンコード（表示位置データ）、および一連の操作手順を実行するためのキーコードとアイコンコードとの組合わせからなる実行データを登録することができる。（中略）また、操作者は、複数の一連の操作手順を定義した文字を表示させて、そのうちの所望の操作手順をタッチすることにより、その操作手順を自動的に実行させることができる。」（段落【００３８】ないし【００３９】）
　
ウ　原審拒絶査定において提示された、本願の出願日前である平成３年１２月１９日に頒布された「特開平３−２８９８８８号公報」（以下、「刊行物３」という）は、「文字放送受信機」に関するものであって、その公報には図面とともに次の事項が記載されている。
　「第３図はキーパッド９の説明図で、ニュース、天気、株式、音楽、スポーツ、娯楽の情報分野を選択するキーが追加されている。以上のように構成された文字放送受信機について、以下その動作を説明する。第４図は記憶手段１４によって、メモリ１３に記憶させる文字選局データの説明図である。この例では、情報分野を選択するキーが６個あり、各情報分野に最大５番組の番組番号が登録できる。例えば、天気であれば２００番組と２０１番組が天気に関する情報であることを調べておいて、記憶手段１４によりメモリ１３に記憶させておく、この操作は利用者がキーパッド９を操作することによって任意の設定が可能である。利用者は、希望の情報分野別の文字放送番組を選択する為にキーパッド９の情報分野を選択するキーを押す。キーパッド９の信号はリモコン受信回路１０によって、ＣＰＵ回路１１に入力される。そして、番組選択手段１５によりメモリ１３に記憶されている文字選局データを読みだす。読みだした文字選局データを文字放送デコーダ１２に送り、該当する番組を受信することを指示する。」（２頁右下欄１０行ないし３頁左上欄１０行、第３，４図）
　
（３）対比・判断
ア　本願補正発明と刊行物１に記載された発明（以下、「刊行物発明」という）との対比
　本願補正発明と刊行物発明を対比すると、
　上記２（２）ア（ア）ないし（カ）によれば、刊行物発明は、文字放送受信機に対しＴＶ放送である文字放送の番組情報をリモコン操作器またはキー入力部のキーから指示又は指定しているといえ、刊行物発明と本願補正発明とは、「ＴＶ放送の番組情報を指示又は指定する操作キー群」を有する点で一致している。
　上記２（２）ア（ウ）（エ）（オ）（カ）によれば、刊行物発明は、登録キー（番組登録キー、頁登録キー）により、番組番号及び頁番号を番号とともに登録しているので、刊行物発明と本願補正発明とは、「前記操作キー群に該操作キー群の操作を記憶するキーを備え」る点で一致している。
　上記２（２）ア（イ）ないし（カ）及び第４図によれば、刊行物発明は、複数の番号に対応して番組番号、頁番号（これらは、本願補正発明の指標に相当する）が登録されるものといえ、また、上記２（２）ア（イ）にあるように、番組が指定され頁が指定される点が本願補正発明でいう「操作キー群の操作の過程」に相当し、それが登録されるといえるから、本願補正発明では「番組の好みに対応するアイコン」であるのに対し、刊行物発明は「数字」である点で相違するものの、いずれも「表示形態」であるので、刊行物発明と本願補正発明とは、「前記キーは、前記操作キー群の操作により前記電子機器の情報が指示又は指定されるまでの前記操作キー群の操作の過程を、複数の表示形態に対応付けした指標を付けて記憶する」点で一致している。
　上記２（２）ア（キ）及び第４図によれば、刊行物発明は、登録画面（第４図）の番組番号をカーソルで指示して対応するＴＶ放送の番組情報を表示するものといえるから、刊行物発明と本願補正発明とは、「前記操作キー群の操作により記憶された前記複数の表示形態が表示され、該表示形態をカーソルで指示することにより、該表示に対応付けられたＴＶ放送の番組情報を表示する」点で一致している。
　また、刊行物発明の「文字放送受信機」は、本願補正発明の「ＴＶ放送受信装置」に相当する。
イ　してみると両者は、「ＴＶ放送の番組情報を指示又は指定する操作キー群と、前記操作キー群に該操作キー群の操作を記憶するキーを備え、前記キーは、前記操作キー群の操作により前記ＴＶ放送の番組情報が指示又は指定されるまでの前記操作キー群の操作の過程を、複数の表示形態に対応付けした指標を付けて記憶すると共に、前記操作キー群の操作により記憶された前記複数の表示形態が表示され、該表示形態をカーソルで指示することにより、該表示に対応付けられたＴＶ放送の番組情報を表示することを特徴とするＴＶ放送受信装置。」で一致するものの、
ａ　操作キー群の操作を記憶するキーについて、本願補正発明が「フェバリットキー」であるのに対し、刊行物発明は登録キー（番組登録キー、頁登録キー）である点、
ｂ　本願補正発明が、「番組の好みに対応する複数のアイコン」に対応付けした指標であるのに対し、刊行物発明では「複数の番号」に対応付けした指標である点
で相違する。
ウ　相違点ａについて検討すると、本願補正発明のフェバリットキーは操作キー群の操作を記憶する機能を有するものといえるところ、刊行物発明の登録キーも同様の機能を有するキーであるから、両者は単に呼称の相違であって実質的な差異があるものとはいえない。また仮に、フェバリットキーが希望の例えば個々の情報分野に対応するキーであるとしても、そのようなキーは例えば刊行物３（上記２（２）ウ参照）にあるように周知のものであり、当業者が適宜採用し得る程度のものといえる。
　また、相違点ｂについて検討すると、上記２（２）イ（ア）ないし（オ）によれば、刊行物２のものは、アイコンコードと実行コードが対応するものであり、実行コードに対応する表示（一連の操作手順を定義した文字（表示データ））にユーザーが適宜変更できるものであり、複数の操作手順を記憶するキーを有する点が記載されている操作手順入力・実行装置であって、刊行物発明のリモコン操作操作器、キー入力部も、操作手順入力・実行装置といえるものであり、また、アイコン自体の表示、及び、表示されたアイコンとアイコンが選択されることによる内容とが対応づけられることも周知（例えば、特開平５−２６０５５６号公報参照）であるから、刊行物発明において、実行内容に対応する番組の好みに対応するアイコンと指標を対応付けすることは当業者が容易に推考し得る程度のものといえる。
　そして、これら相違点を総合的に検討しても、当業者が容易に推考しえたものといえ、また、その効果も予測される程度のものにすぎず、格別顕著なものがあるともいえない。
　したがって、本願補正発明は、刊行物１ないし２に記載された発明および周知技術に基づいて、当業者が容易に発明をすることができたものであるから、特許法第２９条第２項の規定により特許出願の際独立して特許を受けることができないものである。
　
（４）むすび
　以上のとおり、本件補正は、平成６年改正前特許法第１７条の２第３項の規定に違反するものといえ、あるいは、特許法第２９条第２項の規定により平成６年改正前特許法第１７条の２第４項において読み替えて準用する同法第１２６条第３項の規定に違反するものといえるから、いずれにしても、特許法第１５９条第１項において読み替えて準用する特許法第５３条第１項の規定により却下すべきものである。
　
３．本願発明について
　平成１５年１１月４日付けの手続補正は上記のとおり却下されたので、本願の請求項１ないし１４に係る発明は、平成１４年５月１４日付けで補正された明細書の特許請求の範囲の請求項１ないし１４に記載された事項により特定されるものと認められるところ、その請求項１に係る発明（以下、同項記載の発明を「本願発明」という）は、以下のとおりのものである。
「【請求項１】　
電子機器の情報を指示又は指定する操作キー群と、
前記操作キー群に該操作キー群の操作を記憶するフェバリットキーを備え、前記フェバリットキーは、前記操作キー群の操作により前記電子機器の情報が指示又は指定されるまでの前記操作キー群の操作の過程を、アイコンに対応付けした指標を付けて記憶する
ことを特徴とする電子機器。
　
（１）刊行物
　原査定の拒絶の理由に引用された刊行物１，３、および、その記載事項は、前記「２．（２）」に記載したとおりである。
　
（２）対比・判断
ア　上記２（３）の対比・判断を勘案しつつ、本願発明と刊行物発明とを対比すると、
　刊行物発明は、「文字放送受信装置」という「電子機器」の「文字放送」という「情報」をリモコン操作器あるいはキー入力部のキーで指示又は指定しているといえるので、刊行物発明と本願発明とは、「電子機器の情報を指示又は指定する操作キー群」を有する点で一致している。
　刊行物発明と本願発明とは、「前記操作キー群に該操作キー群の操作を記憶するキーを備え」る点で一致している。
　本願発明では「アイコン」であるのに対し、刊行物発明のものは「数字」である点で相違するものの、いずれも「表示形態」といえるので、本願発明と刊行物発明とは、「前記キーは、前記操作キー群の操作により前記電子機器の情報が指示又は指定されるまでの前記操作キー群の操作の過程を、表示形態に対応付けした指標を付けて記憶する」点で一致している。
イ　してみると両者は、「電子機器の情報を指示又は指定する操作キー群と、前記操作キー群に該操作キー群の操作を記憶するキーを備え、前記キーは、前記操作キー群の操作により前記電子機器の情報が指示又は指定されるまでの前記操作キー群の操作の過程を、表示形態に対応付けした指標を付けて記憶することを特徴とする電子機器。」で一致するものの、
ａ　操作キー群の操作を記憶するキーについて、本願発明が「フェバリットキー」であるのに対し、刊行物発明は登録キー（番組登録キー、頁登録キー）である点、
ｂ　本願発明が、「アイコン」に対応付けした指標であるのに対し、刊行物発明では「番号」に対応付けした指標である点
で相違する。
ウ　相違点ａについて検討すると、本願発明のフェバリットキーは操作キー群の操作を記憶する機能を有するものといえるところ、刊行物発明の登録キーも同様の機能を有するキーであるから、両者は単に呼称の相違であって実質的な差異があるものとはいえない。また仮に、フェバリットキーが希望の例えば個々の情報分野に対応するキーであるとしても、そのようなキーは例えば刊行物３（上記２（２）ウ参照）にあるように周知のものであり、当業者が適宜採用し得る程度のものといえる。
　また、相違点ｂについて検討すると、アイコン自体、及び、アイコンとアイコンが選択されることによる動作内容とが対応づけられることも周知であるから、指標をアイコンに対応付けすることは当業者が適宜なし得る程度のものといえる。
　そして、これら相違点を総合的に検討しても、当業者が容易に推考しえたものといえ、また、その効果も予測される程度のものにすぎず、格別顕著なものがあるともいえない。
　
（３）むすび
　したがって、本願発明は、刊行物１に記載された発明および周知技術に基づいて当業者が容易に発明をすることができたものであるので、他の請求項について検討するまでもなく、本願は、特許法第２９条第２項の規定により特許を受けることができない。
　よって、結論のとおり審決する。